(57)【要約】【課題】走査線数の多い映像方式から走査線数の少ない映像方式の表示装置に映像を表示する際に、水平走査線を間引いたときでも、意味が異なる情報を表示することを極力少なくすることのできる「平面表示装置」を提供する。【解決手段】水平走査線数の多い映像表示方式の映像を水平走査線数の少ない映像表示方式で表示する平面表示装置は、表示手段１５と、映像駆動手段１３と、間引き調整手段１２と、制御手段１１とを有する。制御手段１１は、間引き対象水平走査線を検出したとき、間引き調整手段１２に間引き対象水平走査線の１水平走査期間における映像信号データと隣接する水平走査線の１水平走査期間における映像信号データから新たな映像信号データを形成させ、間引き対象水平走査線及び隣接する水平走査線のうちのいずれか１本の水平走査線を間引きながら映像駆動手段を介して表示手段に映像を表示させる。【選択図】図１
2007328007.tif 000002
【特許請求の範囲】
【請求項１】
水平走査線数の多い映像表示方式の映像を水平走査線数の少ない映像表示方式で表示する平面表示装置において、
表示手段と、
前記表示手段に映像を表示させる映像駆動手段と、
間引き対象の映像信号を調整する間引き調整手段と、
前記表示手段、映像駆動手段及び間引き調整手段に動作可能に接続された制御手段とを有し、
前記制御手段は、前記水平走査線数の多い映像表示方式の映像の水平走査線から間引き対象水平走査線を検出したとき、前記間引き調整手段に、間引き対象水平走査線の１水平走査期間における映像信号データと隣接する水平走査線の１水平走査期間における映像信号データとから新たな映像信号データを形成させ、前記間引き対象水平走査線及び隣接する水平走査線のうちのいずれか１本の水平走査線を間引きながら前記映像駆動手段を介して前記表示手段に映像を表示させることを特徴とする平面表示装置。
【請求項２】
前記新たな映像信号データは、前記間引き対象水平走査線の１水平走査期間における映像信号データと隣接する１本の水平走査線の１水平走査期間における映像信号データとを平均した映像信号データであることを特徴とする請求項１に記載の平面表示装置。
【請求項３】
前記隣接する水平走査線は、少なくとも間引き対象水平走査線の１水平走査期間の前又は後のいずれかの水平走査線であることを特徴とする請求項１に記載の平面表示装置。
【請求項４】
前記間引かれる水平走査線は、前記間引き対象水平走査線又は隣接する水平走査線であって、映像信号データが前記新たな映像信号データの形成に用いられる水平走査線であることを特徴とする請求項１に記載の平面表示装置。
【請求項５】
水平走査線数の多い映像表示方式の映像を水平走査線数の少ない映像表示方式で表示する平面表示装置において、
表示手段と、
前記表示手段に映像を表示させる映像駆動手段と、
映像信号をデジタル信号に変換して間引き処理を行うデジタル間引き手段と、
前記デジタル間引き手段によって調整された映像信号に基づいて前記映像駆動手段を介して前記表示手段に映像を表示させる制御手段とを有することを特徴とする平面表示装置。
【請求項６】
前記デジタル間引き手段は、
入力映像信号をデジタル映像信号に変換するビデオキャプチャー手段と、
前記デジタル映像信号が格納される画像記憶手段と、
前記デジタル映像信号をアナログ映像信号に変換する描画データ生成手段と、
前記ビデオキャプチャー手段、画像記憶手段、及び描画データ生成手段に動作可能に接続されたデジタル間引き制御手段とを有し、
前記デジタル間引き制御手段は、前記ビデオキャプチャー手段で変換された水平走査線の映像信号データを前記画像記憶手段に格納し、間引き対象水平走査線の映像信号データと１水平走査期間後の水平走査線の映像信号データとから新たな映像信号データを形成して前記描画データ生成手段に送出し、前記描画データ生成手段にアナログ映像データを生成させ、前記間引き対象水平走査線を間引くことを特徴とする請求項５に記載の平面表示装置。
【請求項７】
前記新たな映像信号データは、前記間引き対象水平走査線の１水平走査期間における映像信号データと１水平走査期間後の水平走査線の１水平走査期間における映像信号データとを平均した映像信号データであることを特徴とする請求項６に記載の平面表示装置。
【請求項８】
前記デジタル間引き制御手段は、２つのメモリ領域が用意された前記画像記憶手段の各メモリ領域に同一の映像信号データを格納することを特徴とする請求項６に記載の平面表示装置。
【請求項９】
前記デジタル間引き制御手段は、前記画像記憶手段に格納された映像信号データが間引き対象水平走査線の映像信号データでないとき、前記２つのメモリ領域に格納されたデータを平均した映像信号データを前記描画データ生成手段に送出することを特徴とする請求項８に記載の平面表示装置。
【請求項１０】
前記デジタル間引き制御手段は、第１のメモリ領域と第２のメモリ領域が用意された前記画像記憶手段の前記第１のメモリ領域に間引き対象でない前記映像信号データを格納し、前記第２のメモリ領域に間引き対象の前記映像信号データを格納することを特徴とする請求項６に記載の平面表示装置。
【請求項１１】
前記デジタル間引き制御手段は、前記画像記憶手段に格納された映像信号データが間引き対象水平走査線の映像信号データでないとき、前記第１のメモリ領域に格納された映像信号データを前記描画データ生成手段に送出することを特徴とする請求項１０に記載の平面表示装置。
【請求項１２】
前記デジタル間引き制御手段は、前記間引き対象水平走査線を奇数フィールドと偶数フィールドで変え、さらに、フレーム毎に間引き対象水平走査線の位置を循環的に変えることを特徴とする請求項６に記載の平面表示装置。
【請求項１３】
前記水平走査線数の多い映像表示方式はＰＡＬ方式であり、前記水平走査線数の少ない映像表示方式はＮＴＳＣ方式であることを特徴とする請求項１又は請求項５に記載の平面表示装置。
【発明の詳細な説明】
【技術分野】
【０００１】
本発明は、平面表示装置に関し、特に、水平走査線数の異なるテレビジョン方式の映像信号を表示することのできる平面表示装置に関する。
【背景技術】
【０００２】
平面表示（ＦＰＤ）装置の代表的装置である液晶表示装置は、薄くて軽量であり、低電圧で駆動できて消費電力が小さいという利点がある。このため、液晶表示装置は、テレビ、ＰＣ（パーソナルコンピュータ）、ＰＤＡ（携帯端末）及び携帯電話など、種々の電子機器に使用されている。特に、各画素（サブピクセル）毎にスイッチング素子としてＴＦＴ（Thin Film Transistor：薄膜トランジスタ）を設けたアクティブマトリクス方式の液晶表示装置は、その駆動能力の高さからＣＲＴにも匹敵する優れた表示特性を示し、ディスクトップ型ＰＣやテレビなど従来ＣＲＴが使用されていた分野にも広く使用されるようになった。
【０００３】
一方、テレビ放送は世界の各地域によって放送方式が異なり、代表的にはＮＴＳＣ方式、ＰＡＬ方式及びＳＥＣＡＭ方式がある。例えば、ＮＴＳＣ方式では、走査線が５２５本であり、ＰＡＬ方式では走査線が６２５本である。従って、ＰＡＬ方式の映像をＮＴＳＣ方式に対応したＦＰＤ装置に表示するときには、ＰＡＬ方式の映像信号の走査線を間引く処理が行われている。
【０００４】
これに関する技術として、特許文献１には、奇数フィールドと偶数フィールドの間で間引き水平走査線を１ラインずらし、間引き水平走査線が重ならないようにするとともに、フレーム毎に間引く水平走査線を切り替える液晶表示装置が開示されている。
【特許文献１】特開平５−３７９０９号公報
【発明の開示】
【発明が解決しようとする課題】
【０００５】
上記したように、水平走査線数の多い映像信号表示方式の映像を水平走査線数の少ない映像信号表示方式の表示装置に表示する際に、周期的に水平走査線を間引くようにしている。
【０００６】
このような方法は、動画であれば間引いた水平走査線の前後で映像情報の相関が強いため、視聴者にとって不自然さは感じられず、水平走査線を間引いて表示された場合であっても特に問題はない。
【０００７】
しかし、動きのない文字情報が表示される場合には、以下のような不都合が生ずる場合がある。例えば、ＰＡＬ方式の映像信号として‘日’という文字が入力された場合、‘日’を構成する部分のうち、中段の横棒‘−’が含まれる水平走査線が間引かれたとすると、ＮＴＳＣ方式では、‘日’から中段の横棒‘−’が抜けた、‘口’と類似の文字が表示され、入力文字と意味の異なる文字が表示されてしまう。
【０００８】
この中段の水平走査線が間引きの対象とならなければ問題ないが、常に間引きの対象にならないという保証はない。
【０００９】
本発明は、かかる従来技術の課題に鑑みなされたものであり、走査線数の異なる映像方式の映像を表示する際に、水平走査線を間引いた場合であっても、間違った情報の表示を極力少なくすることのできる平面表示装置を提供することを目的とする。
【課題を解決するための手段】
【００１０】
上述した従来技術の課題を解決するため、本発明の一形態によれば、水平走査線数の多い映像表示方式の映像を水平走査線数の少ない映像表示方式で表示する平面表示装置において、表示手段と、前記表示手段に映像を表示させる映像駆動手段と、間引き対象の映像信号を調整する間引き調整手段と、前記表示手段、映像駆動手段及び間引き調整手段に動作可能に接続された制御手段とを有し、前記制御手段は、前記水平走査線数の多い映像表示方式の映像の水平走査線から間引き対象水平走査線を検出したとき、前記間引き調整手段に、間引き対象水平走査線の１水平走査期間における映像信号データと隣接する水平走査線の１水平走査期間における映像信号データとから新たな映像信号データを形成させ、前記間引き対象水平走査線及び隣接する水平走査線のうちのいずれか１本の水平走査線を間引きながら前記映像駆動手段を介して前記表示手段に映像を表示させることを特徴とする平面表示装置が提供される。
【００１１】
この形態に係る平面表示装置において、前記隣接する水平走査線は、少なくとも間引き対象水平走査線の１水平走査期間の前又は後のいずれかの水平走査線であってもよく、前記間引かれる水平走査線は、前記間引き対象水平走査線又は隣接する水平走査線であって、映像信号データが前記新たな映像信号データの形成に用いられる水平走査線であってもよい。
【００１２】
本発明の間引き機能を備えた平面表示装置では、間引き対象水平走査線の１水平走査期間における映像信号データと隣接するいずれかの水平走査線の１水平走査期間における映像信号データから新たな映像信号データを形成するようにしている。これにより、間引き対象水平走査線の１水平走査期間において表示されるべき映像の信号情報が間引きによってすべてなくなるということを回避することができ、例えば表示される文字が意味の異なる文字になってしまう現象を抑制することが可能となる。
【００１３】
また、上述した従来技術の課題を解決するため、本発明の他の一形態によれば、水平走査線数の多い映像表示方式の映像を水平走査線数の少ない映像表示方式で表示する平面表示装置において、表示手段と、前記表示手段に映像を表示させる映像駆動手段と、映像信号をデジタル信号に変換して間引き処理を行うデジタル間引き手段と、前記デジタル間引き手段によって調整された映像信号に基づいて前記映像駆動手段を介して前記表示手段に映像を表示させる制御手段とを有することを特徴とする平面表示装置が提供される。
【００１４】
この形態に係る間引き機能を備えた平面表示装置において、前記デジタル間引き手段は、入力映像信号をデジタル映像信号に変換するビデオキャプチャー手段と、前記デジタル映像信号が格納される画像記憶手段と、前記デジタル映像信号をアナログ映像信号に変換する描画データ生成手段と、前記ビデオキャプチャー手段、画像記憶手段、及び描画データ生成手段に動作可能に接続されたデジタル間引き制御手段とを有し、前記デジタル間引き制御手段は、前記ビデオキャプチャー手段で変換された水平走査線の映像信号データを前記画像記憶手段に格納し、間引き対象水平走査線の映像信号データと１水平走査期間後の水平走査線の映像信号データとの平均を算出して描画データ生成手段に送出し、前記描画データ生成手段にアナログ映像データを生成させるようにしてもよい。
【００１５】
また、この形態に係る間引き機能を備えた平面表示装置において、前記デジタル間引き制御手段は、２つのメモリ領域が用意された前記画像記憶手段の各メモリ領域に同一の映像信号データを格納してもよく、前記デジタル間引き制御手段は、前記画像記憶手段に格納された映像信号データが間引き対象水平走査線の映像信号データでないとき、前記２つのメモリ領域に格納されたデータを平均した映像信号データを前記描画データ生成手段に送出するようにしてもよい。
【００１６】
さらに、この形態に係る間引き機能を備えた平面表示装置において、前記デジタル間引き制御手段は、前記間引き対象水平走査線を奇数フィールドと偶数フィールドで変え、さらに、フレーム毎に間引き対象水平走査線の位置を循環的に変えるようにしてもよい。
【００１７】
本発明の間引き機能を備えた平面表示装置では、間引き対象水平走査線を間引くとき、間引き対象水平走査線を完全に間引くのではなく、１水平走査期間後の走査線の映像信号との平均を算出することにより、間引き対象水平走査線の映像情報を残すようにしている。これにより、間引き対象水平走査線の映像信号がすべて間引かれて、誤った文字が表示されてしまうという不具合を回避することが可能となる。
【００１８】
また、本発明の間引き機能を備えた平面表示装置では入力映像信号をデジタル信号に変換した後、間引き処理を行うようにしている。これにより、何番目の水平走査線を間引くかをユーザが設定することが可能になり、フィールド毎に間引く位置を変更することも可能となる。これにより、同じ水平走査線が繰り返し間引かれる割合を小さくすることができ、入力映像に近い映像を表示することが可能となる。
【発明を実施するための最良の形態】
【００１９】
以下、本発明の実施形態について、添付の図面を参照して説明する。第１及び第２の実施形態では、平面表示装置として液晶表示装置を使用した場合を例として説明する。
【００２０】
（１）第１の実施形態
（液晶表示装置の構成及び動作）
図１は本発明の一実施形態に係る間引き機能を備えた液晶表示装置１０の構成を示すブロック図である。間引き機能を備えた液晶表示装置１０は、制御部１１、間引き調整部１２、駆動部（ソースドライバ１４、ゲートドライバ１３）及び表示部（液晶パネル）１５を基本要素として構成される。
【００２１】
液晶パネル１５は、ガラス薄板からなる２枚の透明基板と、これらの基板間に封入された液晶とにより構成される。一方の基板には画素毎に画素電極及びＴＦＴ等が形成され、他方の基板には画素電極に対向するカラーフィルタと、各画素共通の共通電極とが形成されている。
【００２２】
画素電極及びＴＦＴが形成された基板の上には、ＮＴＳＣ映像信号の１フィールドあたりの水平映像信号数に対応して、２４０本（パネルによっては２３４本）の複数の水平画素ライン（ゲートバスライン）１８と、複数のデータバスラインとが形成されている。これらのゲートバスラインとデータバスラインとにより区画される矩形の領域が画素領域である。各画素領域にはスイッチング素子であるＴＦＴと画素電極とが形成される。ＴＦＴのゲートは、ゲートバスラインに接続され、ソースはデータバスラインに接続され、ドレインは画素電極に接続される。
【００２３】
ゲートドライバ１３は、複数の出力端子を有しており、各出力端子はそれぞれ対応するゲートバスライン１８に電気的に接続されている。また、ゲートドライバ１３は内部にシフトレジスタを持ち、垂直方向にクロック信号に応じて１行分の画素を順次選択する。
【００２４】
ソースドライバ１４も、複数の出力端子を有しており、各出力端子はそれぞれ対応するデータバスラインに電気的に接続される。また、ソースドライバ１４は、ゲートドライバ１３によって選択された１行分の画素に対して、映像信号の１ライン分を書き込む。
【００２５】
制御部１１は、アナログビデオ信号処理部１６とタイミングコントロール部１７を含んでいる。
【００２６】
アナログビデオ信号処理部１６は、外部から入力された映像信号をデコードし、輝度信号とクロマ信号を取り出す。また、映像信号から分離した同期信号（垂直同期信号、及び水平同期信号）をタイミングコントロール部１７に転送する。また、アナログビデオ信号処理部１６は、輝度信号とクロマ信号を処理後、原色信号として間引き調整部１２に送出する。
【００２７】
タイミングコントロール部１７は、同期信号に基づいて、種々のタイミング信号を作成し、間引き調整部１２、ソースドライバ１４、及びゲートドライバ１３に供給する。
【００２８】
また、タイミングコントロール部１７は、映像信号がＮＴＳＣ方式かＰＡＬ方式のいずれであるかを受信し、それに応じて、ソースドライバ１４、ゲートドライバ１３、及び間引き調整部１２に送信する信号を制御する。
【００２９】
間引き調整部１２は、アナログビデオ信号処理部１６から映像信号（ＲＧＢ原色信号にされた信号）を受信し、タイミングコントロール部１７から入力される信号に応じて、映像信号を調整し、ソースドライバ１４に供給する。
【００３０】
このように構成された間引き機能を備えた液晶表示装置１０において、表示パネル１５に映像信号を表示させる動作について以下に説明する。
【００３１】
制御部１１に映像信号が入力されると、アナログビデオ信号処理部１６において映像信号をデコードし、輝度信号とクロマ信号から、Ｒ，Ｇ，Ｂの原色セパレート信号に変換して間引き調整部１２に送出する。また映像信号から同期信号を分離し、タイミングコントロール部１７へ送出する。
【００３２】
タイミングコントロール部１７では、同期信号から水平同期信号と垂直同期信号とを分離する。水平同期信号に基づいて、液晶パネル１５を駆動制御するための制御信号が形成される。制御信号として、ソースドライバ１４に供給されるデータクロック信号（ソースドライバ制御信号）、ゲートドライバ１３に供給されるゲートクロック信号（ゲートドライバ制御信号）がある。
【００３３】
間引き調整部１２において調整処理が施された映像信号は、ビデオ信号としてソースドライバ１４に供給される。供給された信号は、各画素の表示内容に対応する電圧として、１水平同期期間内に、データクロック信号に同期したタイミングで各データバスラインに表示データを出力する。
【００３４】
一方、ゲートドライバ１３は、ゲートバスライン１８を順に選択するために、１垂直同期期間内に、ゲートクロック信号に同期したタイミングでゲートバスライン１８に順番に走査信号を出力する。
【００３５】
走査信号が供給されたゲートバスライン１８に接続されている画素のＴＦＴがオンになり、データバスラインに供給された表示データが画素電極に書き込まれる。これにより、画素内の液晶分子の向きが変化し、それに伴って画素の光透過率が変化する。１垂直同期期間内に各画素にそれぞれ表示データが書き込まれて、液晶表示装置に所望の画像が表示される。
【００３６】
（間引き調整部の構成及び動作）
次に、図２を参照して、間引き調整部１２の構成及び動作について説明する。
【００３７】
図２は、間引き調整部１２の回路構成を示した図である。間引き調整部１２は、ＲＧＢ原色信号に変換された映像信号を入力する入力部２１と、受信した映像信号を１水平走査期間だけ遅延させる１Ｈ遅延部２２と、入力した映像信号の大きさを調整する映像信号調整部２３、２４と、加算部２５と、出力切り替えスイッチ２６で構成される。入力部２１は１Ｈ遅延部２２の入力側及び映像信号調整部（ＶＡ）２３の入力側と接続され、さらに出力切り替えスイッチ２６と接続される。１Ｈ遅延部２２の出力側は映像信号調整部（ＶＢ）２４の入力側と接続される。映像信号調整部（ＶＡ）２３及び映像信号調整部（ＶＢ）２４のそれぞれの出力は、加算部２５に入力され、加算部２５の出力側は出力切り替えスイッチ２６に接続される。
【００３８】
加算部２５は、映像信号調整部（ＶＡ）２３及び映像信号調整部（ＶＢ）２４の出力値を加算する。
【００３９】
出力切り替えスイッチ２６は、入力映像信号を直接ソースドライバ１４へ送出するスルー側と入力映像信号を調整した後ソースドライバ１４へ送出する間引き側とを選択する切り替えスイッチであり、タイミングコントロール部１７からの間引き期間を指示する信号に応じて切り替えられる。
【００４０】
なお、ＲＧＢそれぞれの映像信号毎に、間引き処理を行うため、図２に示した構成の間引き調整部１２が、ＲＧＢ映像信号用にそれぞれ３回路用意され、並列に構成されている。
【００４１】
このように構成された間引き調整部１２において、間引き処理は、次のように行われる。
【００４２】
間引き予告信号がタイミングコントロール部１７から入力されるまでは、出力切り替えスイッチ２６はスルー側に設定されている。従って、アナログビデオ信号処理部１６から映像信号が入力されると、その映像信号は直接ソースドライバ１４へ送出される。
【００４３】
間引き予告信号がタイミングコントロール部１７から入力されると、間引き調整部１２は、次の走査期間の開始時に出力切り替えスイッチ２６を間引き側に切り替え、その後入力する映像信号に対して、間引き調整処理が施される。
【００４４】
間引き調整処理が開始すると、タイミングコントロール部１７は１水平走査期間だけゲートドライバ１３のシフトレジスタを一時停止して垂直掃引を止める。従って、ソースドライバ１４はその１ライン分の映像信号を破棄することになる。
【００４５】
間引き調整期間では、映像信号は映像信号調整部（ＶＢ）２４に入力されて、映像信号の値が、例えば１／２倍され、次の水平走査線の映像信号は映像信号調整部（ＶＡ）２３に入力されて、映像信号が、例えば１／２倍される。これらの映像信号を加算した信号がソースドライバ１４へ送出されて、ソースドライバ１４内のレジスタに書き込まれる。そして、タイミングコントロール部１７は、ゲートドライバ１３の垂直方向への走査信号によって表示位置を定め、ソースドライバ１４へ書き出し指示をする。
【００４６】
間引き対象水平走査線の１水平走査期間後の水平走査線が選択されたとき、タイミングコントロール部１７が間引き期間終了を指示する信号を間引き調整部１２に送信する。この信号を受信した間引き調整部１２は、出力切り替えスイッチ２６をスルー側に切り替え、その後の映像信号が直接ソースドライバ１４へ送出されるようにする。
【００４７】
次に、図３を参照して、ＰＡＬ方式の映像信号が入力されたときに、水平走査線を間引いて、ＮＴＳＣ方式の走査線数に適合させる方法について説明する。
【００４８】
図３のＬ１は入力されるＰＡＬ方式の映像信号のうちｔ０からｔ４の水平走査期間における映像信号（Ａ〜Ｅ）を示している。Ｌ２は間引き調整部１２によって調整された後の映像信号を示している。また、間引き対象水平走査線をｔ２のラインとする。
【００４９】
映像信号Ａが入力されると、点Ｐ１の電位は映像信号Ａの電位となり、映像信号Ａはソースドライバ１４へ送出される。
【００５０】
次に映像信号Ｂが入力されると、点Ｐ１の電位は映像信号Ｂの電位となり、点Ｑ１の電位は映像信号Ａの電位となる。この段階では出力切り替えスイッチ２６はスルー側であるため、映像信号Ｂはソースドライバ１４へ送出される。
【００５１】
本実施形態では、映像信号Ｂの情報は、１水平走査期間後の映像信号の情報に含まれることになるため、この映像信号Ｂが実際に間引かれることになる。具体的には、ゲートドライバ１３に走査禁止信号を供給して、１水平走査期間だけゲートドライバ１３内のシフトレジスタを停止して、垂直掃引を止める。これにより、ソースドライバ１４に蓄積された映像信号Ｂの情報はデータバスラインに出力されることなく破棄され、次のｔ２の映像信号が２番目のラインにシフトされる。
【００５２】
次に映像信号Ｃが入力されると、点Ｐ１の電位は映像信号Ｃの電位となり、点Ｑ１の電位は映像信号Ｂの電位となる。１走査期間前に間引き予告信号が入力されたため、映像信号Ｃが入力される時点で出力切り替えスイッチ２６は間引き側に切り替えられる。従って、映像信号Ｂは映像信号調整部（ＶＢ）２４を介して信号量が例えば１／２に調整され、映像信号Ｃは映像信号調整部（ＶＡ）２３を介して信号量が例えば１／２に調整される。それぞれの映像信号が加算された新たな映像信号（Ｂ＋Ｃ）／２がソースドライバ１４へ送出される。
【００５３】
次に映像信号Ｄが入力されると、点Ｐ１の電位は映像信号Ｄの電位となり、点Ｑ１の電位は映像信号Ｃの電位となる。この時点では出力切り替えスイッチ２６は間引き側のままである。従って、映像信号Ｃは映像信号調整部（ＶＢ）２４を介して信号量が例えば１／２に調整され、映像信号Ｄは映像信号調整部（ＶＡ）２３を介して信号量が例えば１／２に調整される。それぞれの映像信号が加算された新たな映像信号（Ｃ＋Ｄ）／２がソースドライバ１４へ送出される。制御部１１はこの段階で間引き終了信号を間引き調整部１２に送出する。
【００５４】
次に映像信号Ｅが入力されると、点Ｐ１の電位は映像信号Ｅの電位となり、点Ｑ１の電位は映像信号Ｄの電位となる。間引き終了信号を受信しているので、映像信号Ｅを入力する時点で出力切り替えスイッチ２６はスルー側に切り替えられる。従って、映像信号Ｅが直接ソースドライバ１４へ送出される。
【００５５】
上記動作を繰り返し、間引き対象水平走査線を検出したとき、この間引き対象水平走査線を含む前後１水平走査線のうちから１本の水平走査線を間引いている。このとき、間引き対象水平走査線の映像信号の５０％が、間引き対象水平走査線の１水平走査期間前及び後の水平走査線の映像信号に反映されるようにしている。これにより、間引き対象水平走査線の映像信号の情報が消失し、意味の異なる文字が表示されるという不都合を回避することが可能となる。
【００５６】
なお、映像信号調整部（ＶＡ）２３及び映像信号調整部（ＶＢ）２４において、信号量を１／２にしたが、これに限定されるものではなく、また、映像信号調整部（ＶＡ）２３と映像信号調整部（ＶＢ）２４とで異なる値であってもよい。
【００５７】
また、走査禁止信号を発生する割合、すなわち間引き対象とする走査線を何番目の走査線とするかは、予めゲートアレイ構成のＩＣであるタイミングコントロール部１７において決められている。例えば、偶数フィールドと奇数フィールドに分け、偶数フィールドのときは、（１４ｎ＋１２）及び（１４ｎ＋２０）番目のライン（ｎ＝１、…、２０）を間引き対象とし、奇数フィールドのときは、（１４ｎ＋１７）及び（１４ｎ＋２３）番目のライン（ｎ＝１、…、２０）を間引き対象としている。これにより、走査線を約７本おきに１本間引いている。
【００５８】
（変形例１）
上記第１の実施形態の間引き処理は、間引き対象水平走査線の映像信号を１水平走査期間前、及び１水平走査期間後の水平走査線の映像信号に含まれるようにして、間引き対象水平走査線の映像信号の情報が消失しないようにした。
【００５９】
本変形例１では、間引き対象水平走査線の映像信号を１水平走査期間前、又は１水平走査期間後の水平走査線の映像信号に含ませる処理を示す。なお、以下の説明では、間引き対象水平走査線の映像信号と１水平走査期間後の映像信号とから新たな映像信号を形成し、間引き対象水平走査線を間引く処理について説明する。
【００６０】
間引き調整部１２の構成は第１の実施形態で説明したものと同じである。ただし、間引き予告信号の送信時期が第１の実施形態とは異なる。
【００６１】
以下に、図４を参照して本変形例１の間引き処理について説明する。
【００６２】
図４のＬ３は入力されるＰＡＬ方式の映像信号のうちｔ０からｔ４の水平走査期間における映像信号（Ａ〜Ｅ）を示している。Ｌ４は間引き調整部１２による調整後の映像信号を示している。
【００６３】
図４に示すように、間引き対象水平走査線はｔ２のラインであり、間引き予告信号もｔ２の水平走査線が入力されたときに間引き調整部１２に送信されるものとする。また、間引き終了信号はｔ３の水平走査線が入力されたときに間引き調整部１２に送信されるものとする。
【００６４】
映像信号Ａが入力されると、点Ｐ１の電位は映像信号Ａの電位となり、映像信号Ａはソースドライバ１４へ送出される。
【００６５】
次に映像信号Ｂが入力されると、点Ｐ１の電位は映像信号Ｂの電位となり、点Ｑ１の電位は映像信号Ａの電位となる。この段階では出力切り替えスイッチ２６はスルー側であるため、映像信号Ｂはソースドライバ１４へ送出される。
【００６６】
次に映像信号Ｃが入力されると、点Ｐ１の電位は映像信号Ｃの電位となり、点Ｑ１の電位は映像信号Ｂの電位となる。
【００６７】
次に映像信号Ｄが入力されると、点Ｐ１の電位は映像信号Ｄの電位となり、点Ｑ１の電位は映像信号Ｃの電位となる。１走査期間前に間引き予告信号が入力されたため、映像信号Ｃが入力される時点で出力切り替えスイッチ２６は間引き側に切り替えられる。従って、映像信号Ｃは映像信号調整部（ＶＢ）２４を介して信号量が、例えば１／２に調整され、映像信号Ｄは映像信号調整部（ＶＡ）２３を介して信号量が、例えば１／２に調整される。その後、それぞれの映像信号が加算された新たな映像信号（Ｃ＋Ｄ）／２がソースドライバ１４へ送出される。
【００６８】
次に映像信号Ｅが入力されると、点Ｐ１の電位は映像信号Ｅの電位となり、点Ｑ１の電位は映像信号Ｄの電位となる。間引き終了信号を受信しているので、映像信号Ｅを入力する時点で出力切り替えスイッチ２６はスルー側に切り替えられる。従って、映像信号Ｅが直接ソースドライバ１４へ送出される。
【００６９】
このようにして、間引き対象水平走査線が間引かれ、調整される映像信号は、ｔ２とｔ３の期間に対応する映像信号だけとなり、水平走査線の映像信号の調整を最小限にすることが可能となる。
【００７０】
（変形例２）
上記の、第１の実施形態及び変形例１の間引き処理は、入力映像信号を遅れなくソースドライバ１４へ転送されて表示される一例を示した。本変形例では、１水平走査期間の遅れで入力映像信号がソースドライバ１４へ転送される例を、図５の間引き調整部１２を参照して説明する。
【００７１】
図５に示す間引き調整部１２は、映像信号入力部５１、１Ｈ遅延部５２、映像信号調整部（ＶＣ）５３，映像信号調整部（ＶＤ）５４，加算部５５、及び出力切り替えスイッチ５６で構成される。映像信号入力部５１は１Ｈ遅延部５２の入力側及び映像信号調整部（ＶＣ）５３の入力側と接続される。１Ｈ遅延部５２の出力側は映像信号調整部（ＶＤ）５４の入力側及び出力切り替えスイッチ５６と接続される。映像信号調整部（ＶＣ）５３及び映像信号調整部（ＶＤ）５４のそれぞれの出力は、加算部５５に入力され、加算部５５の出力側及び１Ｈ遅延部５２の出力側は出力切り替えスイッチ５６に接続される。
【００７２】
以下に、図６に示す水平走査線の映像信号の模式図を参照して、間引き処理の説明をする。
【００７３】
図６のＬ５は入力されるＰＡＬ方式の映像信号のうちｔ０からｔ４の水平走査期間における映像信号（Ａ〜Ｅ）を示している。Ｌ６は間引き調整部１２による処理後の映像信号を示している。
【００７４】
映像信号入力部５１を介して映像信号Ａが入力されると、点Ｐ２の電位は映像信号Ａの電位になる。
【００７５】
次に、映像信号Ｂが入力されると、点Ｐ２の電位は映像信号Ｂの電位になる。点Ｑ２の電位は、１Ｈ遅延部５２を通った映像信号Ａの電位となり、映像信号Ａは１水平走査期間の遅れでソースドライバ１４へ送出される。
【００７６】
映像信号Ｂが入力された時点で、間引き予告信号がタイミングコントロール部１７から送信される。従って、次の水平走査期間の開始時に、出力切り替えスイッチ５６は間引き側に切り替えられる。
【００７７】
次に、映像信号Ｃが入力されると、点Ｐ２の電位は映像信号Ｃの電位となる。点Ｑ２の電位は、１Ｈ遅延部５２を通過した映像信号Ｂの電位となる。この時点では、出力切り替えスイッチ５６が間引き側に切り替えられている。従って、映像信号Ｃが映像信号調整部（ＶＣ）５３によって信号量が、例えば１／２に調整され、映像信号Ｂが映像信号調整部（ＶＤ）５４によって信号量が、例えば１／２に調整される。その後、調整されたそれぞれの信号が加算部５５によって加算されて（Ｂ＋Ｃ）／２の信号量となり、ソースドライバ１４へ送出される。
【００７８】
次に、映像信号Ｄが入力されると、点Ｐ２の電位は映像信号Ｄの電位となる。点Ｑ２の電位は、１Ｈ遅延部５２を通過した映像信号Ｃの電位となる。この時点では、出力切り替えスイッチ５６は間引き側である。従って、映像信号Ｄが映像信号調整部（ＶＣ）５３によって信号量が、例えば１／２に調整され、映像信号Ｃが映像信号調整部（ＶＤ）５４によって信号量が、例えば１／２に調整される。その後、調整されたそれぞれの信号が加算部５５によって加算されて（Ｃ＋Ｄ）／２の信号量となり、ソースドライバ１４へ送出される。
【００７９】
映像信号Ｄの情報は１水平走査期間前の情報に含まれるため、この映像信号を間引く。      
【００８０】
次に、映像信号Ｅが入力されると、出力切り替えスイッチ５６がスルー側に切り替えられる。点Ｐ２の電位は映像信号Ｅの電位となる。点Ｑ２の電位は、１Ｈ遅延部５２を通過した映像信号Ｄの電位となり、映像信号Ｄはソースドライバ１４に送出される。
【００８１】
同様にして、次の映像信号が入力されると、点Ｑ２の電位が映像信号Ｅの電位となり、映像信号Ｅがソースドライバ１４へ送出される。
【００８２】
上記動作を繰り返し、間引き対象水平走査線の映像信号をその前後の水平走査線の映像信号に追加し、間引き対象水平走査線の次の水平走査線を間引くようにする。これにより、水平走査線数の多い映像表示方式の映像を水平走査線数の少ない映像表示方式で表示できるように水平走査線数を間引くとき、間引き対象水平走査線の映像信号がすべて間引かれて、表示される文字が誤った表示になり、異なった意味になってしまうという現象を回避することが可能となる。
【００８３】
（変形例３）
上記変形例２の間引き処理は、間引き対象水平走査線の映像信号を１水平走査期間前及び１水平走査期間後の水平走査線の映像信号に含まれるようにして間引き対象水平走査線の映像信号の情報が消失しないようにした。
【００８４】
本変形例３では、間引き対象水平走査線の映像信号を１水平走査期間前か１水平走査期間後の１水平走査線の映像信号に含ませる処理を示す。なお、以下の説明では、間引き対象水平走査線の映像信号と１水平走査期間後の映像信号とから新たな映像信号を形成し、間引き対象水平走査線を間引く処理について説明する。
【００８５】
間引き調整部１２の構成は変形例２で説明したものと同じである。ただし、間引き予告信号の送信時期が変形例２とは異なる。
【００８６】
以下に、図７を参照して本変形例３の間引き処理について説明する。
【００８７】
図７のＬ７は入力されるＰＡＬ方式の映像信号のうちｔ０からｔ４の水平走査期間における映像信号（Ａ〜Ｅ）を示している。Ｌ８は間引き調整部１２による処理後の映像信号を示している。
【００８８】
図７に示すように、間引き対象水平走査線はｔ２のラインであり、間引き予告信号もｔ２の水平走査線が入力されたときに間引き調整部１２に送信されるものとする。また、間引き終了信号はｔ３の水平走査線が入力されたときに間引き調整部１２に送信されるものとする。
【００８９】
映像信号Ａが入力されると、点Ｐ２の電位は映像信号Ａの電位となる。
【００９０】
次に映像信号Ｂが入力されると、点Ｐ２の電位は映像信号Ｂの電位となり、点Ｑ２の電位は映像信号Ａの電位となる。この段階では出力切り替えスイッチ５６はスルー側であるため、映像信号Ａは入力から１水平走査期間の遅れでソースドライバ１４へ送出される。
【００９１】
次に映像信号Ｃが入力されると、点Ｐ２の電位は映像信号Ｃの電位となり、点Ｑ２の電位は映像信号Ｂの電位となる。この段階では出力切り替えスイッチ５６はスルー側であるため、映像信号Ｂは入力から１水平走査期間の遅れでソースドライバ１４へ送出される。
【００９２】
映像信号Ｃが入力された時点で、間引き予告信号がタイミングコントロール部１７から送信される。従って、次の水平走査期間の開始時に、出力切り替えスイッチ５６は間引き側に切り替えられる。
【００９３】
次に映像信号Ｄが入力されると、点Ｐ２の電位は映像信号Ｄの電位となり、点Ｑ２の電位は映像信号Ｃの電位となる。１走査期間前に間引き予告信号が入力されたため、映像信号Ｄが入力される時点で出力切り替えスイッチ５６は間引き側に切り替えられる。従って、映像信号Ｃは映像信号調整部（ＶＤ）５４を介して信号量が、例えば１／２に調整され、映像信号Ｄは映像信号調整部（ＶＣ）５３を介して信号量が、例えば１／２に調整される。その後、調整されたそれぞれの映像信号が加算された新たな映像信号（Ｃ＋Ｄ）／２がソースドライバ１４へ送出される。
【００９４】
映像信号Ｄが入力された時点で、間引き終了信号がタイミングコントロール部１７から送信される。
【００９５】
次に映像信号Ｅが入力されると、点Ｐ２の電位は映像信号Ｅの電位となり、点Ｑ２の電位は映像信号Ｄの電位となる。間引き終了信号を受信しているので、映像信号Ｅを入力する時点で出力切り替えスイッチ５６はスルー側に切り替えられる。従って、映像信号Ｄがソースドライバ１４へ送出される。ただし、この映像信号Ｄはソースドライバ１４側で破棄されることになる。
【００９６】
同様にして、次の映像信号が入力されると、点Ｑ２の電位が映像信号Ｅの電位となり、映像信号Ｅがソースドライバ１４へ送出される。
【００９７】
上記動作を繰り返し、間引き対象水平走査線の映像信号を１水平走査期間後の水平走査線の映像信号に追加し、間引き対象水平走査線の次の水平走査線を間引くようにする。これにより、水平走査線数の多い映像表示方式の映像を水平走査線数の少ない映像表示方式で表示できるように水平走査線数を間引くとき、間引き対象水平走査線の映像信号がすべて間引かれて、表示される文字が誤った表示になり、異なった意味になってしまうという現象を回避することが可能となる。
【００９８】
さらに、調整される映像信号は、ｔ２とｔ３の期間に対応する映像信号だけとなり、映像信号の調整を最小限にすることが可能となる。
【００９９】
（２）第２の実施形態
第１の実施形態では、入力映像信号をアナログ信号のまま処理する方法を示した。
第２の実施形態では、入力映像信号をデジタル信号に変換した後、水平走査線を間引く方法について説明する。
【０１００】
図８に、デジタル信号処理による間引き機能を備えた液晶表示装置のブロック構成図を示す。
【０１０１】
デジタル信号処理による間引き機能を備えた液晶表示装置は、ビデオキャプチャー部８１、制御部８３、画像記憶部８２、描画ＩＣ（描画データ生成部）８４，ＬＣＤ映像処理部８５、ＬＣＤタイミング処理部８６、及びＮＴＳＣ用液晶表示部（ＬＣＤ）８７より構成される。
【０１０２】
ビデオキャプチャー部８１は、ビデオ信号を入力し、Ａ／Ｄコンバータでサンプリングし、画像記憶部８２にビデオ信号を記憶する。ビデオ信号がＰＡＬ方式であれば、ビデオＲＡＭにはＰＡＬ画素数（ＰＡＬのライン数分）のデータがデジタル化されて記憶される。
【０１０３】
描画データ生成部８４では、デジタル映像信号をアナログ映像信号に変換する。アナログ化した映像信号は、ＬＣＤ映像処理部８５へ出力される。
【０１０４】
制御部８３は、マイクロコンピュータで構成され、ビデオキャプチャー部８１、画像記憶部８２、描画データ生成部８４を制御して、入力したビデオ信号をＮＴＳＣ形式の映像信号に変換する。
【０１０５】
ＬＣＤ映像処理部８５では、ＬＣＤ８７に表示するためのＲＧＢ映像を生成する。また、ＬＣＤ映像処理部８５は、コンポジット同期信号をＬＣＤタイミング処理部８６に送信し、ＬＣＤタイミング処理部８６において種々の制御信号を生成する。
【０１０６】
図９及び図１０にデジタル映像信号の間引き処理を示す。図９は、デジタル映像信号データを格納するメモリエリアを示す図であり、図１０は、図９のように格納されたデジタル映像信号データを間引く処理を説明する図である。
【０１０７】
画像メモリとして、画像記憶部８２に画像メモリエリアＡ及び画像メモリエリアＢの２領域を用意し、ＰＡＬ信号の有効走査期間分の映像データを、画像メモリエリアＡ及び画像メモリエリアＢに格納する。
【０１０８】
図９のＬＤＡ（ｎ）は、画像メモリエリアＡに格納されたｎ番目の走査線に対する映像信号データを示し、ＬＤＢ（ｎ）は、画像メモリエリアＢに格納されたｎ番目の走査線に対する映像信号データを示す。
【０１０９】
図９に示すように、画像メモリエリアＡ及び画像メモリエリアＢには、同一の水平走査線に対する映像信号データが格納される。
【０１１０】
画像記憶部８２に格納されたＰＡＬ画素数のデータは、描画データ生成部８４においてＮＴＳＣ方式に適合するようなデータに変換して出力する。
【０１１１】
次に、図１０を参照して、画像記憶部８２に格納されたＰＡＬ方式の映像信号データを描画データ生成部８４へ書き出す時の処理について説明する。
【０１１２】
描画データ生成部８４へ書き出す際には、ＰＡＬ方式の映像信号データをＮＴＳＣ方式の映像信号データに変換する。すなわち、ＰＡＬ方式の映像信号データから、垂直ブランキング期間も含めた総ライン数ベースで１フレームで１００本の水平走査線を間引くことが必要となる。
【０１１３】
間引く水平走査線を何番目の水平走査線にするかは、予め決められたアルゴリズムによって決定される。例えば、次の式によって、何番目の水平走査線を間引くかを決定する。
【０１１４】
（１４ｎ＋１７）及び（１４ｎ＋２３）
但し、ｎ＝１，２，３，…，２０
画像記憶部８２に格納したラインデータ（ＬＤＡ，ＬＤＢ）が、間引き対象か否かは、次のようにして判断する。走査線が間引き対象か否かを示すためのフラグ（間引き予告フラグ）、及び、走査線数をカウントするカウンタを用意する。制御部８３は、画像記憶部８２からラインデータを抽出する毎にカウンタを１ずつカウントアップし、その値を上記アルゴリズムの式に代入し、間引きの対象のラインに該当する毎に間引き予告フラグをセットする。そして、間引き予告フラグがセットされたかどうかにより、抽出したラインデータが間引きの対象であることを判断する。
【０１１５】
図１０のラインデータＬＤＡ（ｎ）、ＬＤＢ（ｎ）のように、映像信号データが間引き対象の水平走査線ではない場合は、画像メモリエリアＡに格納された映像信号データＬＤＡ（ｎ）と画像メモリエリアＢに格納された映像信号データＬＤＢ（ｎ）のそれぞれの値を１／２して加算し、ＮラインのデータＬＤＣ（Ｎ）として描画データ生成部８４に送出する。
【０１１６】
図１０のラインデータＬＤＡ（ｎ＋１）、ＬＤＢ（ｎ＋１）のように、映像信号データが間引き対象の水平走査線である場合は、画像メモリエリアＢに格納された映像信号データＬＤＢ（ｎ＋１）と次の映像信号データが格納されている画像メモリエリアＡの内容ＬＤＡ（ｎ＋２）を読み飛ばす。そして、間引き対象水平走査線に対応する画像メモリエリアＡに格納された映像信号データの値ＬＤＡ（ｎ＋１）を１／２し、画像メモリエリアＢに格納された間引き対象水平走査線の一つ後の水平走査線の映像信号データＬＤＢ（ｎ＋２）の値を１／２し、これらの値を加算して、Ｎ＋１ラインのデータＬＤＣ（Ｎ＋１）として描画データ生成部８４に送出する。
【０１１７】
このように、間引き対象水平走査線の映像信号データと次の水平走査線の映像信号データから新たな映像信号データを形成する。そして、２本の水平走査線の映像信号データから１本の水平走査線の映像信号データを形成して、水平走査線を一本間引くようにしている。
【０１１８】
これにより、間引き対象水平走査線の映像信号データの全部が失われること無く、水平走査線数を減らすことが可能となる。
【０１１９】
このような処理により、例えば、間引き対象のラインの映像信号が「白」、次のラインの映像信号が「黒」の場合、新たに形成したラインには「灰」を示す映像信号が書き込まれる。このように、間引き対象水平走査線のすべての映像信号を間引いたときには、「白」の映像信号が完全に間引かれるのに対し、「灰」色に表示されるため、文字情報が消失し、表示される文字が違った意味になってしまうという不都合を回避することができる。
【０１２０】
また、本実施形態で説明したデジタル方式を採用すると、ＰＡＬ方式で記録された映像信号の走査線のうちどの走査線を間引くかをユーザが定義することが可能となる。すなわち、描画データ生成部８４からＬＣＤ映像処理部８５へ映像信号を送出する段階でＮＴＳＣ方式に適合させるようにするため、６２５本中どの走査ラインを間引くかは、制御部８３においてソフトウエアで定義することができる。
【０１２１】
基本的には、アナログ方式で説明したように、走査線を７本おきに１本間引くようにする。ただし、間引く開始位置が各フィールド毎に同じであると、常に同じ位置の走査線を間引くことになり、情報が喪失してしまう。そのため、フィールド毎に間引く位置を順次変えるようにする。
【０１２２】
図１１は、フィールド毎に間引きする走査線の位置を変更するパターンの一例である。
【０１２３】
図１１に示すように、間引き対象走査線を偶数フィールドと奇数フィールドで重ならないように設定している。
【０１２４】
具体的には、間引きパターン１では、偶数フィールドにおいて、２５番目の走査線、３２番目の走査線、３９番目の走査線、…、を間引くようにしている。これにより、７本に１本の割合で走査線が間引かれることになる。また、奇数フィールドにおいては、２６番目の走査線、３３番目の走査線、４０番目の走査線、…、を間引くようにしている。
【０１２５】
この偶数フィールドと奇数フィールドを合わせた１フレームの表示が終了した後は、パターン２の間引きパターンに従って走査線の間引きを行う。
【０１２６】
すなわち、偶数フィールドにおいては、２８番目の走査線、３５番目の走査線、…、を間引き、奇数フィールドにおいては、２９番目の走査線、３６番目の走査線、…、を間引くようにしている。
【０１２７】
同様にして、１フレームの表示が終了する毎に間引きパターンを変えて、間引き処理を実施する。図では７本に１本の割合で走査線を間引くようにしているため、７つの間引きパターンを用意している。
【０１２８】
なお、パターン毎に飛び飛びに間引き走査線を設定しているが、これは画面上に発生するおそれがあるノイズを抑制するためである。
【０１２９】
表示装置の固定位置に文字が表示される場合、１垂直走査期間で、上記した間引き処理によって例えば「白」の文字部分が「灰」で表示されたとする。この場合であっても、次の垂直走査期間では、間引く走査線が他の走査線になるため、「白」の文字部分は「白」で表示されることになる。しかも、７本ごとに１本を間引き、間引きポイントを変更することにより、信号レベルは、（１００％×６＋５０％×１）／７＝９２．９％となり、ほとんど「白」に近い値となって、文字が読めなくなるという不都合を回避できるようになる。
【０１３０】
なお、ＮＴＳＣ方式、ＰＡＬ方式いずれの場合であっても、フレーム周波数は人間の目の残像効果を見極めて設定されており、ちらつきがでない設定となっている。従って、７回に１度（ＮＴＳＣの場合には１フィールド期間が１６．７ｍｓ）だけ、表示される輝度が変化した場合には、人間の目にはちらつきは感じられず、平均の輝度としてとらえられるため、ちらつきの問題は生じない。
【０１３１】
また、本実施例では、７本おきに１本のラインを間引くようにして間引きポイントを変更するために７パターン用意したが、７パターンに限定するものではない。
【０１３２】
以上説明したように、本実施形態に係る平面表示装置では、間引き対象水平走査線を検出したとき、この水平走査線を間引いている。このとき、間引き対象水平走査線を完全に間引くのではなく、１水平走査期間後の走査線の映像信号との平均をとるようにすることにより、間引き対象水平走査線の映像情報を残すようにしている。
【０１３３】
また、入力映像をデジタル化して間引き処理を行う際に、何番目の水平走査線を間引くかをユーザが設定することが可能になる。これにより、間引く割合を変更したり、フィールド毎に間引く位置を変更することも可能となる。これにより、同じ走査線が間引かれて、表示される文字が読めないという現象を回避することが可能となる。
【０１３４】
（変形例４）
上記第２の実施形態では、映像信号の同一データを画像メモリエリアＡ及び画像メモリエリアＢに２重に記憶してデジタル間引き処理を行う方法について説明した。
【０１３５】
本変形例４では、２重にメモリ領域を使用しないでデジタル間引き処理を行う方法について説明する。
【０１３６】
図１２に示すように、水平走査線の映像情報は１つの画像メモリエリアＡに格納する。ただし、間引き対象水平走査線に該当するときには、画像メモリエリアＡとは異なる一時メモリエリアＢに格納する。
【０１３７】
間引き対象水平走査線に該当するか否かは次のようにして判断する。例えば、フラグレジスタを用い、画像記憶部８２に水平走査線の映像信号をラインデータとして格納する毎にカウントアップした値を、間引き対象の水平走査線を決めるアルゴリズムの式に代入し、間引き対象の走査線に該当する毎に間引き予告フラグをセットするようにする。そして、間引き予告フラグがセットされたかどうかを判断して、水平走査線が間引き対象か否かを判断する。
【０１３８】
次に、画像記憶部８２に格納したラインデータを描画データ生成部８４へ出力する方法について説明する。
【０１３９】
第２の実施形態と同様に、画像記憶部８２に格納したラインデータ（ＬＤＡ，ＬＤＢ）が、間引き対象か否かは、次のようにして判断する。走査線が間引き対象か否かを示すためのフラグ（間引き予告フラグ）、及び、走査線数をカウントするカウンタを用意する。制御部８３は、画像記憶部８２からラインデータを抽出する毎にカウンタを１ずつカウントアップし、その値を間引き対象の水平走査線を決めるアルゴリズムの式に代入し、間引きの対象のラインに該当する毎に間引き予告フラグをセットする。そして、間引き予告フラグがセットされたかどうかにより、抽出したラインデータが間引きの対象であることを判断する。
【０１４０】
図１２のラインデータＬＤＡ（ｎ）のように、映像信号データが間引き対象水平走査線でない場合は、描画データ生成部８４へ、画像メモリエリアＡに格納されているｎラインのデータＬＤＡ（ｎ）を送出して、ＮラインのデータＬＤＣ（Ｎ）とする。
【０１４１】
図１２のラインデータＬＤＢ（ｎ＋１）のように、映像信号データが間引き対象水平走査線の場合は、画像メモリエリアＢに格納されたｎ＋１ラインのデータＬＤＢ（ｎ＋１）と、次の画像メモリエリアＡに格納されたｎ＋２ラインのデータＬＤＡ（ｎ＋２）との平均を算出し、描画データ生成部８４へ送出して、Ｎ＋１ラインのデータＬＤＣ（Ｎ＋１）とする。
【０１４２】
このように、間引き対象の映像信号データと間引き対象外の映像信号データとを区別して画像メモリエリアに格納することにより、画像メモリ領域の使用領域を削減することができ、メモリの有効利用を図ることができる。
【図面の簡単な説明】
【０１４３】
【図１】本発明の第１の実施形態に係る間引き処理機能を有する液晶表示装置の構成を示すブロック図である。
【図２】図１の液晶表示装置に係る間引き調整部の構成を示すブロック図（その１）である。
【図３】図２の間引き調整部における間引き調整を説明する図（その１）である。
【図４】図２の間引き調整部における間引き調整を説明する図（その２）である。
【図５】図１の液晶表示装置に係る間引き調整部の構成を示すブロック図（その２）である。
【図６】図５の間引き調整部における間引き調整を説明する図（その１）である。
【図７】図５の間引き調整部における間引き調整を説明する図（その２）である。
【図８】本発明の第２の実施形態に係る間引き処理機能を有する液晶表示装置の構成を示すブロック図である。
【図９】メモリに格納された映像信号データの一例を示す図である。
【図１０】デジタル化された映像信号を間引く処理の一例を示す図（その１）である。
【図１１】水平走査線を間引く位置を変更するパターンの例を示す図である。
【図１２】デジタル化された映像信号を間引く処理の一例を示す図（その２）である。
【符号の説明】
【０１４４】
１０…間引き機能を備えた液晶表示装置、
１１…制御部、
１２…間引き調整部、
１３…ゲートドライバ、
１４…ソースドライバ、
１５…液晶パネル、
１６…アナログビデオ信号処理部、
１７…タイミングコントロール部、
２２，５２…１Ｈ遅延部、
２３，２４，５３，５４…映像信号調整部、
２６，５６…出力切り替えスイッチ、
８１…ビデオキャプチャー部、
８２…画像記憶部、
８３…制御部（デジタル間引き制御手段）、
８４…描画データ生成部、
８５…ＬＣＤ映像処理部、
８６…ＬＣＤタイミング処理部、
８７…ＬＣＤ。
【図１】
2007328007.tif 000003
【図２】
2007328007.tif 000004
【図３】
2007328007.tif 000005
【図４】
2007328007.tif 000006
【図５】
2007328007.tif 000007
【図６】
2007328007.tif 000008
【図７】
2007328007.tif 000009
【図８】
2007328007.tif 000010
【図９】
2007328007.tif 000011
【図１０】
2007328007.tif 000012
【図１１】
2007328007.tif 000013
【図１２】
2007328007.tif 000014